Podtech/llm-jp-corpus-v4-ja_patent huggingface dataset:
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
細胞死を引き起こす疾患、障害または症状の治療および／または予防のための医薬品の製造における、カスパーゼ−８、もしくはその前駆体、ムテイン、融合タンパク質、機能的誘導体、活性画分、円順列変異体またはそれらの塩の使用。
【請求項２】
前記細胞および／または死細胞の除去に関与する細胞が、細胞外カスパーゼ−８による調節または他の細胞によって遊離され得るかもしくは細胞外カスパーゼ−８に応答して活性化され得る分子による調節に反応性である請求項１記載の使用。
【請求項３】
細胞外カスパーゼ−８による調節が、細胞内の一酸化窒素（ＮＯ）レベルおよび／または産生および／または分泌の増加によって表される請求項２記載の使用。
【請求項４】
細胞がリンパ球および／またはマクロファージである請求項１〜３のいずれかに記載の使用。
【請求項５】
細胞がリンパ球である請求項４記載の使用。
【請求項６】
細胞がＴリンパ球である請求項５記載の使用。
【請求項７】
細胞がマクロファージである請求項４記載の使用。
【請求項８】
疾患、障害または症状が、敗血症性ショック、急性肝炎、移植片対宿主病、ＡＩＤＳ、糖尿病および甲状腺炎から選択される請求項１〜７のいずれかに記載の使用。
【請求項９】
疾患が敗血症性ショックである請求項８記載の使用。
【請求項１０】
疾患、障害または症状の治療および／または予防のための医薬品の製造における、カスパーゼ−８、もしくはその前駆体、ムテイン、融合タンパク質、機能的誘導体、活性画分、円順列変異体またはそれらの塩の使用であって、該疾患、障害もしくは症状の病因または経過が、ＮＯのレベルの変化と関連するか、または反応性である使用。
【請求項１１】
疾患、障害または症状が、敗血症性ショック、肝炎、血栓症、狭心痛、勃起不全、高コレステロール血症、創傷および血管炎症から選択される請求項１０記載の使用。
【請求項１２】
カスパーゼ−８、もしくはその前駆体、ムテイン、融合タンパク質、機能的誘導体、活性画分、円順列変異体またはそれらの塩および薬学的に許容され得る担体を含む、細胞の死を引き起こす疾患、障害または症状の治療および／または予防のための医薬組成物。
【請求項１３】
敗血症性ショック、急性肝炎、移植片対宿主病、ＡＩＤＳ、糖尿病および甲状腺炎から選択される疾患、障害または症状の治療のための請求項１２記載の医薬組成物。
【請求項１４】
皮下投与のための、カスパーゼ−８、もしくはその前駆体、ムテイン、融合タンパク質、機能的誘導体、活性画分、円順列変異体またはそれらの塩および薬学的に許容され得る担体を含む医薬組成物。
【請求項１５】
全身投与のための、カスパーゼ−８、もしくはその前駆体、ムテイン、融合タンパク質、機能的誘導体、活性画分、円順列変異体またはそれらの塩および薬学的に許容され得る担体を含む医薬組成物。
【請求項１６】
細胞機能を調節するために細胞外で作用することが可能であるカスパーゼ−８、もしくはその前駆体、ムテイン、融合タンパク質、機能的誘導体、活性画分、円順列変異体またはそれらの塩、および薬学的に許容され得る担体を含む医薬組成物。
【請求項１７】
細胞機能を調節することが、ＮＯの産生および／または分泌レベルの調節をともなう請求項１６記載の医薬組成物。
【請求項１８】
肝炎、血栓症、狭心痛、勃起不全、高コレステロール血症、創傷および血管炎症から選択される疾患、障害または症状の治療および／または予防のための請求項１６記載の医薬組成物。
【手続補正書】
【提出日】平成22年2月3日(2010.2.3)
【手続補正１】
【補正対象書類名】特許請求の範囲
【補正対象項目名】全文
【補正方法】変更
【補正の内容】
【特許請求の範囲】
【請求項１】
温かい飲料又は液体食料品を調製するための方法であって、
天然乳漿タンパクを含む飲料又は液体食料品パッケージを提供する提供ステップと、
加熱されたすぐに食べられる飲料又は液体食料品を調製するためにパッケージの内容物を加熱し、同時に天然乳漿タンパクを少なくとも部分的に乳漿タンパクミセルへ変換する加熱ステップとを含む方法。
【請求項２】
パッケージの内容物が、加熱ステップの前に水が添加される粉末の形態である、請求項１に記載の方法。
【請求項３】
パッケージの内容物が、液体の形態である、請求項１に記載の方法。
【請求項４】
加熱する前の溶液のｐＨが、５〜９である、請求項２又は３に記載の方法。
【請求項５】
加熱する前の溶液中の天然乳漿タンパク含量が、１２％未満である、請求項２〜４のいずれか一項に記載の方法。
【請求項６】
加熱が、製品１ｍｌ当たり０．３〜３秒にわたって行われる、請求項１〜５のいずれか一項に記載の方法。
【請求項７】
加熱が、マイクロ波照射源を用いて行われる、請求項１〜６のいずれか一項に記載の方法。
【請求項８】
溶液が、８０℃〜１００℃の温度まで加熱される、請求項１〜７のいずれか一項に記載の方法。
【請求項９】
パッケージが、コーヒー成分を含み、乳漿タンパクミセルが、白色化剤としての役割を果たす、請求項１〜８のいずれか一項に記載の方法。
【請求項１０】
コーヒー成分が、乾燥、可溶性状態である、請求項９に記載の方法。
【請求項１１】
パッケージが、スープ成分、ソース成分、ココア成分、茶成分、植物抽出物成分、甘性デザート成分、脂肪、食塩、乳化剤、砂糖、マルトデキストリン、多糖、穀類、可溶性繊維又はそれらの任意の組合せから選択される少なくとも１種の成分を含む、請求項１〜８のいずれか一項に記載の方法。
【請求項１２】
加熱ステップ中に、天然乳漿タンパクが、変性され、ミセルへ変換される、請求項１〜１１のいずれか一項に記載の方法。
【請求項１３】
天然乳漿タンパクのミセルへの変換の収率が、少なくとも２０％である、請求項１２に記載の方法。
【請求項１４】
ミセルが、１００ｎｍ〜９００ｎｍの平均直径を有する、請求項１〜１３のいずれか一項に記載の方法。
【請求項１５】
形成されるミセルが、白色化剤としての役割を果たす、請求項１〜１４のいずれか一項に記載の方法。
【請求項１６】
すぐに食べられる飲料又は液体食料品が、消費の前に冷却される、請求項１〜１５のいずれか一項に記載の方法。
【請求項１７】
すぐに食べられる飲料又は液体食料品が、他の消費可能な製品の製造における成分として使用される、請求項１〜１６のいずれか一項に記載の方法。
【請求項１８】
請求項１〜１７のいずれか一項に記載の方法により得られる食品又は飲料組成物。
【請求項１９】
天然乳漿タンパク及び飲料又は液体食料品成分を含むインスタント食品パッケージ。
【請求項２０】
パッケージの内容物が、本質的に乾燥粉末である、請求項１９に記載のパッケージ。
【請求項２１】
乾燥粉末が、水和された場合に、乳漿タンパクが、５〜９の範囲で規定のｐＨ値を有する液体中に分散されるようになっている、請求項２０に記載のパッケージ。
【請求項２２】
パッケージの内容物が、５〜８のｐＨを有する液体中の天然乳漿タンパクを含む、請求項１９に記載のパッケージ。
【請求項２３】
パッケージの内容物が、コーヒー成分を含み、乳漿タンパクミセルが、白色化剤としての役割を果たす、請求項１９〜２２のいずれか一項に記載のパッケージ。
【請求項２４】
コーヒー成分が、乾燥、可溶性状態である、請求項２３に記載のパッケージ。
【請求項２５】
パッケージが、スープ成分、ソース成分、ココア成分、茶成分、植物抽出物成分、甘性デザート成分、脂肪、食塩、乳化剤、砂糖、マルトデキストリン、多糖、穀類、可溶性繊維又はそれらの２種以上の成分の任意の組合せから選択される少なくとも１種の成分を含む、請求項１９〜２４のいずれか一項に記載のパッケージ。
【請求項２６】
パッケージが、バニラ、カラメル、果実、チョコレート、コーヒー、シナモンなどのアロマを含む、請求項１９〜２５のいずれか一項に記載のパッケージ。
【請求項２７】
甘味料、カフェイン、ビタミン、ミネラル、薬物、リガンド、生物活性剤又はそれらの２種以上の成分の任意の組合せの群から選択される少なくとも１種の機能成分をさらに含む、請求項１９〜２６のいずれか一項に記載のパッケージ。
【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
細胞サンプルの処理を行うための方法であって、
ａ）間葉系細胞を、細胞が互いに接着して多細胞凝集塊を形成する条件下で培養し、そして
ｂ）細胞サンプル内の細胞を上記工程ａ）で形成された多細胞凝集塊または条件培地と共培養し、該細胞サンプル内の細胞の成長およびステータスの少なくとも一方を調節する
ことを包含する方法。
【請求項２】
工程ｂ）において、該細胞サンプルと該多細胞凝集塊との間に半透性メンブランを設け、該半透性メンブランはサイトカインや成長因子の交換を許容するが、間葉系細胞からなる凝集塊を該細胞サンプル内の細胞から隔離することを特徴とする、請求項１に記載の方法。
【請求項３】
該細胞サンプル内の細胞が白血病細胞であることを特徴とする、請求項１に記載の方法。
【請求項４】
該多細胞凝集塊との共培養に対して応答する細胞を該細胞サンプルから選択する工程ｃ）を更に包含する、請求項１に記載の方法。
【請求項５】
共培養に対して走化性運動で応答する細胞を選択することを特徴とする、請求項４に記載の方法。
【請求項６】
該細胞を、治療または診断に用いるために選択することを特徴とする、請求項４に記載の方法。
【請求項７】
該細胞サンプルが患者由来サンプルであり、該多細胞凝集塊が自家間葉系細胞に由来することを特徴とする、請求項１に記載の方法。
【請求項８】
該細胞サンプルが患者由来サンプルであり、該多細胞凝集塊が同種間葉系細胞に由来することを特徴とする、請求項１に記載の方法。
【請求項９】
細胞サンプルから細胞を選択するための装置であって、第１コンパートメントと第２コンパートメントを包含し、該第１コンパートメントは第２コンパートメントの内部に設けられており、該第１コンパートメントには、バッファー及び該バッファー中に存在する線維芽細胞または間葉系細胞の多細胞凝集塊が収容されており、該第１コンパートメントは、２つのコンパートメントの間でバッファー、サイトカインや成長因子の交換を許容する半透性メンブランによって第２コンパートメントから分離されており、そして第２コンパートメントは、細胞の移動を許容する孔径を有する第２メンブランによって細胞のサンプルから分離されていることを特徴とする装置。
【請求項１０】
２つのコンパートメントと細胞のサンプルが、外部封止メンブランで囲われていることを特徴とする、請求項９に記載の装置。
【請求項１１】
該半透性メンブランが、２つのコンパートメント間の細胞の交換を許容しないものであることを特徴とする、請求項９に記載の装置。
【請求項１２】
該半透性メンブランの孔径が０．２〜２μｍであり、該第２メンブランの孔径が３〜８μｍであることを特徴とする、請求項９に記載の装置。
【請求項１３】
該サンプルが骨髄穿刺または末梢血サンプルであることを特徴とする、請求項９に記載の装置。
【請求項１４】
白血病細胞サンプルの処理を行うための方法であって、
ａ）線維芽細胞または間葉系細胞を、細胞が互いに接着して多細胞凝集塊を形成する条件下で培養し、そして
ｂ）白血病細胞サンプル内の細胞を上記工程ａ）で形成された多細胞凝集塊または条件培地と共培養し、それにより該白血病細胞サンプル内の白血病細胞の成長およびステータスの少なくとも一方を調節する
ことを包含する方法。
【手続補正２】
【補正対象書類名】図面
【補正対象項目名】図１−３
【補正方法】変更
【補正の内容】
【図１−３】
2009531047.tif 000001
【手続補正３】
【補正対象書類名】図面
【補正対象項目名】図３−２
【補正方法】変更
【補正の内容】
【図３−２】
2009531047.tif 000002
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
細胞プロセスを測定するためのアッセイ方法であって、当該方法が、
ｉ）固体粒子に付着した培養細胞の集団を液体媒質中で用意する段階であって、前記細胞には前記アッセイを実施するための１種以上の成分がプレロードされており、前記粒子が細胞付着及び／又は細胞増殖に適合している段階、
ｉｉ）培養細胞に１種以上の凍結保護剤を添加する段階、
ｉｉｉ）段階ｉｉ）からの細胞の別々のアリコートを低温での凍結保存に供する段階、
ｉｖ）段階ｉｉｉ）からのアリコートの１以上から得られる１以上の個別試料を別々の反応器に導入する段階、及び
ｖ）前記アッセイを実施するための１種以上の追加試薬を前記反応器の各々に導入する段階
を含んでなり、前記細胞或いは前記試薬又は前記追加試薬の少なくとも１種が前記試薬と前記細胞を混合した後に光学信号を放出し又は光学信号の放出を誘起する検出可能なレポーターを含み、前記光学信号が前記細胞プロセスを測定するための手段として検出及び／又は定量化される、方法。
【請求項２】
細胞中にプレロードされるアッセイ成分が細胞アッセイの実施に必要な化学試薬である、請求項１記載の方法。
【請求項３】
細胞に前記１種以上の凍結保護剤を添加するのに先立って、液体媒質に試薬を添加することによって前記細胞に前記試薬をプレロードする、請求項２記載の方法。
【請求項４】
前記試薬が、イオン感受性染料、酵素基質、酵素補助因子、レポーター遺伝子基質、蛍光染料、細胞刺激、レセプターリガンド及び蛍光サブセルラーイメージングマーカーから選択される、請求項２又は請求項３に記載の方法。
【請求項５】
前記細胞に一過的に発現される遺伝的にエンコードされたレポーターをプレロードする、請求項１記載の方法。
【請求項６】
凍結保存に先立って前記液体媒質にプラスミド又はウイルスベクターを添加することにより、前記細胞が検出可能なレポーターを一過的に発現させるように操作される、請求項５記載の方法。
【請求項７】
前記レポーターが酵素である、請求項５又は請求項６に記載の方法。
【請求項８】
前記レポーターが蛍光タンパク質である、請求項５又は請求項６に記載の方法。
【請求項９】
前記細胞が、幹細胞、分化幹細胞、一次細胞、形質転換細胞及び遺伝的に操作された細胞から選択される、請求項１乃至請求項８のいずれか１項記載の方法。
【請求項１０】
前記細胞が細胞の混合集団からなる、請求項１記載の方法。
【請求項１１】
細胞増殖に先立って粒子表面に試薬を共有結合で付着させ、もって表面上で増殖する前記細胞の膜又は細胞質中に試薬を取り込ませることにより、細胞に前記試薬をプレロードする、請求項１乃至請求項４のいずれか１項記載の方法。
【請求項１２】
凍結保存に先立って細胞周期阻害剤を添加することで前記細胞が増殖停止を受ける、請求項１乃至請求項１１のいずれか１項記載の方法。
【請求項１３】
前記粒子状支持体が検出可能なマーカーでエンコードされる、請求項１乃至請求項１２のいずれか１項記載の方法。
【請求項１４】
前記マーカーが、蛍光染料、ｐＨ感受性染料、蛍光タンパク質及び固体センサーから選択される、請求項１３記載の方法。
【請求項１５】
前記細胞プロセスの測定がリアルタイムで実施される、請求項１乃至請求項１４のいずれか１項記載の方法。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
ＭＥＫインヒビター、ＧＳＫ３インヒビターおよびＦＧＦレセプターのアンタゴニストを含む、培養培地。
【請求項２】
前記ＭＥＫインヒビターが、ＭＥＫ１インヒビターである、請求項１に記載の培養培地。
【請求項３】
前記ＭＥＫインヒビターが、ＰＤ１８４３５２およびＰＤ９８０５９から選択される、前記いずれかの請求項に記載の培養培地。
【請求項４】
前記ＧＳＫ３インヒビターが、ＧＳＫ−３βのインヒビターである、前記いずれかの請求項に記載の培養培地。
【請求項５】
前記ＧＳＫ３インヒビターが、ｃｄｃ２よりもＧＳＫ３に対して少なくとも１００倍選択性である、請求項４に記載の培養培地。
【請求項６】
前記ＧＳＫ３インヒビターが、ＣＨＩＲ９９０２１である、前記いずれかの請求項に記載の培養培地。
【請求項７】
ｇｐ１３０アゴニストをさらに含む、前記いずれかの請求項に記載の培養培地。
【請求項８】
前記ｇｐ１３０アゴニストが、（ａ）ＬＩＦ、（ｂ）ｓＩＬ−６ＲおよびＩＬ−６、または（ｃ）ハイパーＩＬ−６である、請求項７に記載の培養培地。
【請求項９】
前記ＦＧＦレセプターアンタゴニストが、ＦＧＦＲ１のアンタゴニストである、請求項１から８のいずれかに記載の培養培地。
【請求項１０】
ＳＵ５４０２を含む、請求項９に記載の培養培地。
【請求項１１】
ＰＤ１７３０７４を含む、請求項９に記載の培養培地。
【請求項１２】
アポトーシスのインヒビターを含む、前記いずれかの請求項に記載の培養培地。
【請求項１３】
ＰＤ１８４３５２、ＣＨＩＲ９９０２１およびＳＵ５４０２を含む、前記いずれかの請求項に記載の培養培地。
【請求項１４】
前記いずれかの請求項に記載の、ヒト多能性細胞培養培地。
【請求項１５】
請求項１から１３のいずれかに記載の、マウス多能性細胞培養培地。
【請求項１６】
多能性細胞のための培養培地の製造におけるＭＥＫインヒビターおよびＧＳＫ３インヒビターの使用。
【請求項１７】
多能性細胞のための培養培地の製造におけるＭＥＫインヒビター、ＧＳＫ３インヒビターおよびＦＧＦレセプターのアンタゴニストの使用。
【請求項１８】
前記培地が、マウス細胞の培養のためである、請求項１６または１７に記載の使用。
【請求項１９】
前記培地が、ヒト細胞の培養のためである、請求項１６または１７に記載の使用。
【請求項２０】
前記培地が、ラット細胞の培養のためである、請求項１６または１７に記載の使用。
【請求項２１】
自己再生を促進するための多能性細胞の培養方法であって、請求項１から１３のいずれかに記載の培地中で該細胞を維持する工程を含む、方法。
【請求項２２】
前記培地が、血清を含まないおよび血清抽出物を含まない、請求項２１に記載の方法。
【請求項２３】
前記細胞が、マウス細胞である、請求項２１または２２に記載の方法。
【請求項２４】
前記細胞が、ヒト細胞である、請求項２１または２２に記載の方法。
【請求項２５】
前記細胞が、ラット細胞である、請求項２１または２２に記載の方法。
【請求項２６】
血清および血清抽出物を含まず、そして
基本培地；
ＭＥＫインヒビター；
ＧＳＫ３インヒビター；
ＦＧＦレセプターのアンタゴニスト；および
鉄トランスポーター、
を含む、細胞培養培地。
【請求項２７】
ｇｐ１３０下流シグナリング経路のアクチベーターをさらに含む、請求項２６に記載の培養培地。
【請求項２８】
ＬＩＦを含む、請求項２６に記載の培養培地。
【請求項２９】
第１の容器、第２の容器および第３の容器を含むキットであって、該第１の容器がＧＳＫ３インヒビターを含み、該第２の容器がＭＥＫインヒビターを含み、そして該第３の容器がＦＧＦレセプターのアンタゴニストを含む、キット。
【請求項３０】
前記容器が、それらのそれぞれの構成成分の濃縮されたストック溶液を含む、請求項２９に記載のキット。
【請求項３１】
前記ＧＳＫ３インヒビター、前記ＭＥＫインヒビターおよび前記ＦＧＦＲアンタゴニストが、請求項２から６または９から１１に定義される通りである、請求項２９または３０に記載のキット。
【請求項３２】
ｇｐ１３０下流シグナリングのアクチベーターを含むさらなる容器を含む、請求項２９から３１のいずれかに記載のキット。
【請求項３３】
前記ｇｐ１３０アゴニストが、（ａ）ＬＩＦ、（ｂ）ｓＩＬ−６ＲおよびＩＬ−６、または（ｃ）ハイパーＩＬ−６である、請求項３２に記載のキット。
【請求項３４】
多能性幹細胞の自己再生の促進におけるＭＥＫインヒビターおよびＧＳＫ３インヒビターの使用。
【請求項３５】
多能性幹細胞の自己再生の促進におけるＭＥＫインヒビター、ＧＳＫ３インヒビターおよびＦＧＦレセプターのアンタゴニストの使用。
【請求項３６】
幹細胞集団を増殖させる方法であって、ＭＥＫインヒビターおよびＧＳＫ３インヒビターの存在下で幹細胞を培養する工程を含む、方法。
【請求項３７】
多能性細胞のための培養培地の製造におけるＭＥＫインヒビターおよびＦＧＦレセプターのアンタゴニストの使用。
【請求項３８】
自己再生を促進するための多能性細胞の培養方法であって、ＭＥＫインヒビターおよびＦＧＦレセプターのアンタゴニストを含む培地中で該細胞を維持する工程を含む、方法。
【請求項３９】
血清および血清抽出物を含まず、そして
基本培地；
ＭＥＫインヒビター；
ＦＧＦレセプターのアンタゴニスト；および
鉄トランスポーター、
を含む、細胞培養培地。
【請求項４０】
第１の容器および第２の容器を含むキットであって、該第１の容器がＭＥＫインヒビターを含み、そして該第２の容器がＦＧＦレセプターのアンタゴニストを含み、
該キットが、本明細書に記載される他の容器および／または構成成分もまた含み得る、キット。
【請求項４１】
多能性幹細胞の自己再生の促進におけるＭＥＫインヒビターおよびＦＧＦレセプターのアンタゴニストの使用。
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
胎盤組織または脂肪組織からの接着性細胞を、細胞の拡大培養を支持する三次元培養条件のもとで培養することを含む、細胞を拡大培養する方法。
【請求項２】
（ａ）胎盤組織または脂肪組織からの接着性細胞を、細胞の拡大培養を可能にする三次元培養条件において培養すること、および、
（ｂ）前記拡大培養された接着性細胞の馴化培地を集め、それにより、馴化培地を製造すること
を含む、馴化培地を製造する方法。
【請求項３】
胎盤組織または脂肪組織の接着性細胞を含む細胞の単離された集団であって、前記接着性細胞が以下の（ｉ）〜（ｉｖ）のうちの少なくとも一つによって特徴づけられる、細胞の単離された集団：
（ｉ）ＳＣＦ、ＩＬ−６およびＦｌｔ−３からなる群から選択される少なくとも１つの因子を、２Ｄ培養で成長させた胎盤組織または脂肪組織の接着性細胞によって分泌されるよりも高いレベルで分泌する；
（ｉｉ）Ｈ２Ａヒストンファミリー（Ｈ２ＡＦ）、アルデヒドデヒドロゲナーゼＸ（ＡＬＤＨ  Ｘ）、真核生物翻訳伸長因子２（ＥＥＥＦ２）、レチクロカルビン３、ＥＦ−ハンドカルシウム結合ドメイン（ＲＣＮ２）およびカルポニン１塩基性平滑筋（ＣＮＮ１）からなる群から選択される少なくとも１つのタンパク質を、２Ｄ培養で成長させられた胎盤組織または脂肪組織の接着性細胞によって発現されるよりも高いレベルで発現する；
（ｉｉｉ）ヘテロ核リボヌクレオタンパク質Ｈ１（Ｈｎｒｐｈ１）、ＣＤ４４抗原イソ型２前駆体、３ホスホアデノシン５ホスホ硫酸シンターゼ２イソ型ａ（Ｐａｐｓｓ２）およびリボソームタンパク質Ｌ７ａ（ｒｐＬ７ａ）からなる群から選択される少なくとも１つのタンパク質を、２Ｄ培養で成長させた胎盤組織または脂肪組織の接着性細胞によって発現されるよりも低い発現レベルで発現する；
（ｉｖ）２Ｄ培養で成長させた胎盤組織または脂肪組織の接着性細胞よりも高い免疫抑制活性を具備する。
【請求項４】
前記免疫抑制活性はＴ細胞増殖の低下を含む、請求項３に記載の細胞の単離された集団。
【請求項５】
請求項１に記載の方法に従って作製される細胞の集団を有効成分として含む医薬組成物。
【請求項６】
請求項３に記載の細胞の単離された集団を有効成分として含む医薬組成物。
【請求項７】
移植のために特定される薬剤の製造のための胎盤組織または脂肪組織の接着性細胞の使用。
【請求項８】
前記三次元培養は３Ｄバイオリアクターを含む、請求項１または２に記載の方法。
【請求項９】
前記培養を少なくとも３日間行う、請求項１または２に記載の方法。
【請求項１０】
前記培養を、前記接着性細胞が少なくとも６０％のコンフルエンスに達するまで行う、請求項１または２に記載の方法。
【請求項１１】
前記接着性細胞は、ＣＤ７３、ＣＤ９０、ＣＤ２９およびＣＤ１０５からなる群から選択される陽性のマーカー発現アレイを含む、請求項１または２に記載の方法。
【請求項１２】
前記接着性細胞は、ＣＤ４５、ＣＤ８０、ＨＬＡ−ＤＲ、ＣＤ１１ｂ、ＣＤ１４、ＣＤ１９、ＣＤ３４およびＣＤ７９からなる群から選択される陰性のマーカー発現アレイを含む、請求項１または２に記載の方法。
【請求項１３】
前記接着性細胞または培地は、２Ｄ培養で成長させた胎盤組織または脂肪組織の接着性細胞よりも大きい免疫抑制活性を具備することを特徴とする、請求項１または２に記載の方法。
【請求項１４】
前記細胞は、間質幹細胞表現型を有する細胞を含む、請求項１または２に記載の方法。
【請求項１５】
前記接着性細胞は以下の（ｉ）〜（ｉｖ）のうちの少なくとも一つによって特徴づけられる、請求項７に記載の使用：
（ｉ）ＳＣＦ、ＩＬ−６およびＦｌｔ−３からなる群から選択される少なくとも１つの因子を、２Ｄ培養で成長させた胎盤組織または脂肪組織の接着性細胞によって分泌されるよりも高いレベルで分泌する；
（ｉｉ）Ｈ２Ａヒストンファミリー（Ｈ２ＡＦ）、アルデヒドデヒドロゲナーゼＸ（ＡＬＤＨ  Ｘ）、真核生物翻訳伸長因子２（ＥＥＥＦ２）、レチクロカルビン３、ＥＦ−ハンドカルシウム結合ドメイン（ＲＣＮ２）およびカルポニン１塩基性平滑筋（ＣＮＮ１）からなる群から選択される少なくとも１つのタンパク質を、２Ｄ培養で成長させられた胎盤組織または脂肪組織の接着性細胞によって発現されるよりも高いレベルで発現する；
（ｉｉｉ）ヘテロ核リボヌクレオタンパク質Ｈ１（Ｈｎｒｐｈ１）、ＣＤ４４抗原イソ型２前駆体、３ホスホアデノシン５ホスホ硫酸シンターゼ２イソ型ａ（Ｐａｐｓｓ２）およびリボソームタンパク質Ｌ７ａ（ｒｐＬ７ａ）からなる群から選択される少なくとも１つのタンパク質を、２Ｄ培養で成長させた胎盤組織または脂肪組織の接着性細胞によって発現されるよりも低い発現レベルで発現する；
（ｉｖ）２Ｄ培養で成長させた胎盤組織または脂肪組織の接着性細胞よりも高い免疫抑制活性を具備する。
【請求項１６】
前記接着性細胞が三次元培養から得られる、請求項１５に記載の使用。
【請求項１７】
前記接着性細胞が二次元培養から得られる、請求項１５に記載の使用。
【請求項１８】
前記移植は、幹細胞欠乏、心臓疾患、パーキンソン病、癌、アルツハイマー病、脳卒中、火傷、組織の欠損、血液の喪失、貧血、自己免疫疾患、糖尿病、関節炎、多発性硬化症、移植片対宿主病（ＧｖＨＤ）、神経変性障害、自己免疫性脳脊髄炎（ＥＡＥ）、全身性エリテマトーデス（ＳＬＥ）、リウマチ様関節炎、全身性硬化症、シェーグレン症候群、多発性硬化症（ＭＳ）、重症筋無力症（ＭＧ）、ギラン・バレー症候群（ＧＢＳ）、橋本甲状腺炎（ＨＴ）、グレーヴズ病、インスリン依存性糖尿病（ＩＤＤＭ）および炎症性腸疾患からなる群から選択される状態のために使用される、請求項７に記載の使用。
【請求項１９】
前記接着性細胞は、ＣＤ７３、ＣＤ９０、ＣＤ２９およびＣＤ１０５からなる群から選択される陽性のマーカー発現アレイを含む、請求項３に記載の細胞の単離された集団。
【請求項２０】
前記接着性細胞は、ＣＤ４５、ＣＤ８０、ＨＬＡ−ＤＲ、ＣＤ１１ｂ、ＣＤ１４、ＣＤ１９、ＣＤ３４およびＣＤ７９からなる群から選択される陰性のマーカー発現アレイを含む、請求項３に記載の細胞の単離された集団。
【請求項２１】
前記接着性細胞または培地は、２Ｄ培養で成長させた胎盤組織または脂肪組織の接着性細胞よりも大きい免疫抑制活性を具備することを特徴とする、請求項３に記載の細胞の単離された集団。
【請求項２２】
前記接着性細胞は、ＣＤ７３、ＣＤ９０、ＣＤ２９およびＣＤ１０５からなる群から選択される陽性のマーカー発現アレイを含む、請求項７に記載の使用。
【請求項２３】
前記接着性細胞は、ＣＤ４５、ＣＤ８０、ＨＬＡ−ＤＲ、ＣＤ１１ｂ、ＣＤ１４、ＣＤ１９、ＣＤ３４およびＣＤ７９からなる群から選択される陰性のマーカー発現アレイを含む、請求項７に記載の使用。
【請求項２４】
前記接着性細胞または培地は、２Ｄ培養で成長させた胎盤組織または脂肪組織の接着性細胞よりも大きい免疫抑制活性を具備することを特徴とする、請求項７に記載の使用。
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
陥入爪治療用の、少なくとも部分的に陥入爪板面に連結された調整可能で制御可能なデバイスにおいて：
陥入爪板面に連結するように構成した解除部と；
前記爪板面の部分を引き上げるように、前記解除部に可変力を加えるように構成した調整可能部と；を具えることを特徴とするデバイス。
【請求項２】
前記調整可能部が：
前記爪板面の無傷部において実質的に接着するように構成した支持部と；
前記調整可能部と前記解除部の間を連結する弾性部材とを具え、前記弾性部材と前記解除部の連結が調整可能であって、前記解除部上の前記弾性部材によって加わる力が可変であることを特徴とする請求項１に記載のデバイス。
【請求項３】
前記解除部がベースとフランジを具え、当該フランジが前記弾性部材に接続されるように構成されていることを特徴とする請求項２に記載のデバイス。
【請求項４】
前記支持部が、前記爪体及び前記支持部の間に配置するように構成した可撓性層を具えることを特徴とする請求項２に記載のデバイス。
【請求項５】
前記弾性部材が、前記解除部と前記支持部を弾性的に連結するように構成したバネを具えることを特徴とする請求項２に記載のデバイス。
【請求項６】
前記調整可能部に、二つの側部を有する少なくとも一つのアームを有するバーを設け、一方の側部は前記解除部と連結しており、他方の側部には、前記爪板面に対する前記アームのレベルを変える高さ調節器を設けたことを特徴とする請求項１に記載のデバイス。
【請求項７】
前記バーが、解除可能なネジによって前記調整可能部に連結されており、前記ネジの解除動作が、前記バーによって前記解除部に加わる力を変えることを特徴とする請求項６に記載のデバイス。
【請求項８】
前記解除部がベースとフランジを具え、前記フランジが前記調整可能部に接続されるように構成したことを特徴とする請求項１に記載のデバイス。
【請求項９】
前記フランジと連結するように構成したバネを前記調整可能部に設け、前記フランジに複数のフックを設け、当該フックがいくつかの位置において前記バネの力を変えて前記バネを保持するように構成されていることを特徴とする請求項８に記載のデバイス。
【請求項１０】
前記解除部がマグネットであって、前記調整可能部が、前記マグネット上に引力を加えるように構成した別のマグネットであることを特徴とする請求項１に記載のデバイス。
【請求項１１】
前記調整可能部が、前記マグネットに対向して配置するように構成されていることを特徴とする請求項１０に記載のデバイス。
【請求項１２】
前記別のマグネットは、靴又は靴の中敷の上で前記マグネット上方に連結されることを特徴とする請求項１１に記載のデバイス。
【請求項１３】
足指周りに固定スペースを維持するように構成したケージを更に具えることを特徴とする請求項１に記載のデバイス。
【請求項１４】
調整可能で制御可能なデバイスであって、少なくとも部分的に陥入爪板面に連結した実質的に本明細書、添付の図面及び請求項に記載した陥入爪治療用の調整可能で制御可能なデバイス。
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
変圧器またはタップ切替器のための汎用監視および診断制御システムであって、
様々な電子ボードを受けるための電子ボードラックと
前記電子ボードラックに配置された複数のボードと
を備え、
前記複数のボードが、既存の変圧器との間でアナログおよび／またはデジタル信号を様々に送信および／または受信するために選択され、
前記複数のボードが、それぞれ少なくとも一つのチャネルを有し、
前記アナログおよびデジタル入力および出力信号が、前記複数のボードによってネットワーク接続を介して前記制御システムに直接繋がれ、
前記アナログおよびデジタル入力および出力信号が、各ボードの各チャネル上で個別に設定可能である、
汎用制御システム。
【請求項２】
前記複数のボードが、メインプロセッサボードおよび少なくとも一つの周辺ボードを備えた、請求項１に記載の汎用制御システム。
【請求項３】
前記アナログおよびデジタル入力および出力信号が、前記ネットワーク上でＴＣＰ／ＩＰからインターフェースコンバータを介して送受信される、請求項１に記載の汎用制御システム。
【請求項４】
前記ネットワーク接続が、イーサネット（登録商標）へのシリアル通信を含む、請求項３に記載の汎用制御システム。
【請求項５】
温度変化を検知するために配置された少なくとも一つのセンサ、および警告が発生される第一の閾値温度値をさらに備えた、請求項１に記載の汎用制御システム。
【請求項６】
前記少なくとも一つのセンサが、コントローラエリアネットワークバスを介して汎用制御システムと通信する、請求項５に記載の汎用制御システム。
【請求項７】
タップ切替器への電力が遮断される第二の閾値温度値をさらに備えた、請求項５に記載の汎用制御システム。
【請求項８】
第一および第二の閾値温度値が、前記ネットワークを介して個別に遠隔設定される、請求項７に記載の汎用制御システム。
【請求項９】
変圧器の冷却器群の冷却制御設定が、前記ネットワークを介して遠隔位置から行われる、請求項５に記載の汎用制御システム。
【請求項１０】
複数の冷却器群が提供された、請求項９に記載の汎用制御システム。
【請求項１１】
冷却器群についての開始／停止が、使用頻度の最も低い冷却器群が第一の温度閾値で開始するように設定および制御される、請求項１０に記載の汎用制御システム。
【請求項１２】
タップ切替器を保護するための診断システムであって、
温度変化を検知するために配置されたセンサと
タップ切替開始前に前記センサによって測定される初期温度を示す初期測定温度と
始動する特定のタップ切替に従って計算される計算温度値と
警告が発生される、前記初期測定温度および前記計算温度値に基づいて決定される閾値と
タップ切替開始後に前記センサによって測定される実際の温度を示す第二の測定温度と
を備え、
前記アラームが、前記第二の測定温度が前記閾値を超えた場合に当該診断システムによって発生される、
診断システム。
【請求項１３】
その温度を超えると前記タップ切替器を流れる電流が遮断される第二の閾値をさらに備えた、請求項１２に記載の診断システム。
【請求項１４】
前記第二の閾値が、前記第一の閾値より高い、請求項１３に記載の診断システム。
【請求項１５】
タップ切替器の電気接点の劣化を防止するための診断システムであって、
接点位置を測定するための接点測定装置と
接点が開いているか閉じているかを示す、前記接点測定装置によって生成される接点信号と
接点が接触位置にありうる最大時間長に関連する閾値時間値と
接点信号を受信し且つ該接点信号に基づいて閉時間値を生成するためのコントローラと
を備え、
前記コントローラが、閉時間値を前記閾値時間値と比較して閉時間値が前記閾値時間値を超えているかどうかを決定し、
前記閾値時間値を超えたことを示す、診断システムによって発生される警告メッセージ
を備えた、診断システム。
【請求項１６】
温度を測定し且つ温度信号を生成するための接点近傍に配置された温度センサをさらに備え、前記コントローラが、温度信号を受信し、そして閾値時間値および温度信号の両方に基づいて警告メッセージが生成されるべきかどうかを決定する、請求項１５に記載の診断システム。
【請求項１７】
温度信号が高いほど、当該システムが警告メッセージを生成する閾値時間値が短くならなければならない、請求項１６に記載の診断システム。
【請求項１８】
接点を通過する電流を測定し且つ電流信号を生成するための電流センサをさらに備え、前記コントローラが、電流信号を受信し、そして閾値時間値および電流信号の両方に基づいて警告メッセージが生成されるべきかどうかを決定する、請求項１５に記載の診断システム。
【請求項１９】
電流信号が高いほど、当該システムが警告メッセージを生成する閾値時間値が短くならなければならない、請求項１８に記載の診断システム。
【請求項２０】
温度を測定し且つ温度信号を生成するための接点近傍に配置された温度センサと
接点を通過する電流を測定し且つ電流信号を生成する電流センサと
をさらに備え、
前記コントローラが、温度信号および電流信号を受信し、そして閾値時間値、温度信号および電流信号に基づいて警告メッセージが生成されるべきかどうかを決定する、
請求項１５に記載の診断システム。
【請求項２１】
温度信号が高いほど、および／または電流信号が高いほど、当該システムが警告メッセージを生成する閾値時間値が短くならなければならない、請求項２０に記載の診断システム。
【手続補正書】
【提出日】平成22年3月9日(2010.3.9)
【手続補正１】
【補正対象書類名】特許請求の範囲
【補正対象項目名】請求項９
【補正方法】変更
【補正の内容】
【請求項９】
前記希釈ガスが一酸化炭素、水素、二酸化炭素及びメタンを含有する混合物である請求項１〜７のいずれか１項に記載の方法。
【手続補正書】
【提出日】平成22年2月26日(2010.2.26)
【手続補正１】
【補正対象書類名】明細書
【補正対象項目名】００２８
【補正方法】変更
【補正の内容】
【００２８】
単結晶Ｘ線回折データを使用して計算した化合物(Ｉ)の模擬Ｘ線粉末回折パターンは、図１に示す実験により決定したパターンと良く一致する。回折ピークの位置は非常に合い、相対ピーク強度の差異は、選択方位効果に帰する。
【手続補正２】
【補正対象書類名】明細書
【補正対象項目名】０１７３
【補正方法】変更
【補正の内容】
【０１７３】
方法２
(ＲＳ)−２−アミノ−３−ベンジルスルファニル−２−メチル−プロピオンアミドおよびＬ−酒石酸(０.２５−１.０eq.)の混合物を、最小量の溶媒(適当な溶媒は、メタノール、エタノール、イソプロパノール、ｎ−ブタノール、酢酸イソプロピル、酢酸エチル、トルエン、アセトニトリルおよびＩＭＳを含み、これに限定されない)にスラリー化した。次いでこれらのスラリーを環境温度を超える温度で洗浄し、さらなる溶媒を、種々温度で完全な用芸を形成させるために添加した。完全な溶液が、３５vol eq.の溶媒で還流で形成されないならば、十分な水を添加して溶液を作製した。次いでこれらの溶液をＲＴに冷却し、得られた固体を濾過により回収して、２−アミノ−３−ベンジルスルファニル−２−メチル−プロピオンアミドタートレートを、７８〜１００％収率(Ｌ−酒石酸導入量に対して、および１：１塩または２：１塩のいずれかの形成について補正)で、５０〜６０％の範囲のエナンチオマー純度で得た。
これらの２−アミノ−３−ベンジルスルファニル−２−メチル−プロピオンアミドＬ−酒石酸塩を、種々の溶媒(適当な溶媒の例は、(ｉ)溶媒としてＭｅＯＨまたは水のいずれかおよび貧溶媒としてイソプロパノール、ｎ−ブタノール、酢酸エチル、酢酸イソプロピル、トルエン、アセトニトリル、アセトン、ＴＨＦ、ＴＢＭＥ、ＤＣＭ、ＭＩＢＫ、ジエチルエーテル、２,２,４−トリメチルペンタンまたはＩＭＳのいずれかの混合溶媒結晶化；または(ii)エタノール、メタノール、ＩＭＳまたは水からの直接再結晶を含み、これに限定されない)から再結晶できた。典型的に、再結晶は、１〜９９％の範囲の収率で、５０〜９６％の範囲のエナンチオマー純度の生成物をもたらした。
ＭｅＯＨ／ＭＩＢＫ(各々２０／２９.５vol eq.)からの再結晶により、(２Ｓ)−２−アミノ−３−ベンジルスルファニル−２−メチル−プロピオンアミド(２Ｒ,３Ｒ)−タートレートを７５％収率および９６.６３％のエナンチオマー純度で得た(出発物質は約５０％ｅｐ)であった。
キラル純度は、実施例９のようにＬＣで確立した。
1H NMR(300 MHz, d6-DMSO)δ 1.35(3H, s, CH3), 2.69(1H, d, J 13.7 Hz, S-CH2), 3.00(1H, d, J 13.7 Hz, S-CH2), 3.79(2H, s, S-CH2), 3.98(2H, s, CHOH), 7.22-7.36(5H, m, Ar-H), 7.44(1H, s, NH), 7.63(1H, s, NH)。
【手続補正３】
【補正対象書類名】明細書
【補正対象項目名】０１７９
【補正方法】変更
【補正の内容】
【０１７９】
４. (ＲＳ)−３−ベンジルスルファニル−２−メチル−２−ウレイド−プロピオン酸の分割を介した(Ｓ)−５−ベンジルスルファニルメチル−５−メチル−イミダゾリジン−２,４−ジオン
(ＲＳ)−３−ベンジルスルファニル−２−メチル−２−ウレイド−プロピオン酸
【化１４】
2009531313.tif 000001
(ＲＳ)−２−アミノ−３−ベンジルスルファニル−２−メチル−プロピオン酸(３５０ｇ)を水(２.６Ｌ)およびＴＨＦ(２.６Ｌ)に懸濁し、シアン酸カリウム(５０４ｇ)を添加し、反応を２５℃で一晩撹拌した。さらにシアン酸カリウム(７５ｇ)を次いで添加し、反応をさらに６時間撹拌した。次いで撹拌を止め、反応を０℃で一晩冷却した。得られたスラリーを濾過し、濾液を減圧下濃縮した。濃縮物を、急速に撹拌しながら６％水性ＨＣｌ溶液でｐＨ２に酸性化した。１時間後、得られた固体を濾過により回収し、次いで水(４Ｌ)およびメタノール(４Ｌ)に連続的に再スラリー化した。真空下乾燥後、生成物をシリカクロマトグラフィーを使用して精製した。不純物をＤＣＭ／ＴＨＦを使用して精製し、一方生成物をＴＨＦ／ＡｃＯＨ、続いてＭｅＯＨを使用して抽出した。溶媒の除去、続いてＴＢＭＥでのトリチュレーションにより、３−ベンジルスルファニル−２−メチル−２−ウレイド−プロピオン酸(１５１ｇ)をオフホワイト色固体として得た。
【手続補正４】
【補正対象書類名】明細書
【補正対象項目名】０１８９
【補正方法】変更
【補正の内容】
【０１８９】
非対称化を介した(Ｓ)−５−ベンジルスルファニルメチル−５−メチル−イミダゾリジン−２,４−ジオン
【化２０】
2009531313.tif 000002
２−ベンジルスルファニルメチル−２−メチル−マロンアミド(２ｇ)をＤＭＳＯ(１０mL)に５０℃で溶解した。得られた溶液に０.１Ｍ  ｐＨ７  リン酸緩衝液(１００mL)に添加した。これに、ロドコッカス・エリスロポリス(Rhodococcus erthoplis)アミダーゼ(架橋酵素凝集体(ＣＬＥＡ)の２５単位／mL懸濁液２mL)を添加した。３５℃で４日撹拌後、ＣＬＥＡを濾過により除去し、濾液を濃ＨＣｌでｐＨ４に酸性化し、生成物酸／アミドを酢酸イソプロピル(３×５０mL)で抽出した。キラルＨＰＬＣは、モノ酸が９３％のｅｅを有することを示した。溶媒を真空下で除去し、１,２−ジクロロエタン(５０mL)に置き換えた。この溶液に、トリエチルアミン(０.７９ｇ)、続いてジフェニルホスホリルアジド(２.２ｇ)を添加した。反応を１８時間加熱還流し、冷却し、希ＨＣｌ(０.１Ｍ、２×２５mL)で洗浄し、真空下濃縮した。粗生成物は、(Ｓ)−エナンチオマーおよびキラルＨＰＬＣで９３％ｅｅであることが示された。生成物ヒダントインを、カラムクロマトグラフィー(溶離剤酢酸エチル)を使用して精製し、エタノールから再結晶して、表題化合物(１ｇ、４９％)を無色固体として得た。ｅｅは９７％に増加した。
キラル純度を、２５cm×４.６mm  Chiralpack ADカラム、３０℃、溶離剤ＭｅＯＨ＋０.１％ｖ／ｖ  ＨＣＯ２Ｈ、流速１mL min−１、検出２２０nMのＵＶを使用して確立した。Ｒｔ(Ｓ)−エナンチオマー４.４２分；Ｒｔ(Ｒ)−エナンチオマー９.２１分。
【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
神経疾患の予防または治療のうち少なくともいずれか一方を目的とした医薬品であって、前記医薬品は、６−（ベンジルアミノ）−２（Ｓ）−［［１−（ヒドロキシメチル）プロピル］アミノ］−９−イソプロピルプリン）または医薬として許容可能なその塩のうち少なくとも１つを含む、医薬品。
【請求項２】
前記神経疾患は興奮毒性の現象に関連していることを特徴とする、請求項１に記載の医薬品。
【請求項３】
前記神経疾患は慢性または急性の神経疾患であることを特徴とする、請求項１または２のいずれか１項に記載の医薬品。
【請求項４】
前記慢性の神経疾患は、
−  神経変性疾患であって、
−  錐体外路症候群を伴う疾患、特にパーキンソン病、進行性核上性麻痺（スティール・リチャードソン・オルゼウスキー症候群）、多系統萎縮症および線条体黒質変性症；
−  認知症、特にアルツハイマー病、血管性認知症、レビー小体病、前頭側頭型認知症、大脳皮質基底核変性症およびハンチントン舞踏病、ならびに
−  その他の神経変性疾患、特に筋萎縮性側索硬化症およびクロイツフェルト・ヤコブ病；および
−  脱髄疾患、特に多発性硬化症、急性散在性アレルギー脳炎、Ｄｅｖｉｃ病（ニューロミエロパシー）およびミエリンの障害を伴う遺伝性疾患、特にペリツェウス・メルツバッハー病
からなる群から選択される、請求項３に記載の医薬品。
【請求項５】
前記急性の神経疾患は、
−  てんかん；
−  てんかん重積状態；
−  脳卒中、特に虚血性のもの；
−  脳出血；
−  心停止時の脳低酸素状態；
−  頭蓋外傷性障害；ならびに
−  局所性脳低酸素状態または全脳低酸素状態のうち少なくともいずれか一方を引き起こす神経疾患であって、特に体外循環時に、特に心血管インターベンションおよび頸動脈手術の際に発生するもの
からなる群から選択される、請求項３に記載の医薬品。
【請求項６】
脳出血は、血栓溶解剤、特に組織プラスミノーゲン活性化因子の使用と関係している、請求項５に記載の医薬品。
【請求項７】
前記医薬品は、ドネペジル、セレギリン、リバスチグミン、ガランタミン、メマンチンおよびリルゾールからなる群から選択される少なくとも１つの抗神経変性剤をさらに含んでなる、請求項１〜６のいずれか１項に記載の医薬品。
【請求項８】
前記医薬品は、組織プラスミノーゲン活性化因子、ストレプトキナーゼ、ウロキナーゼおよびデスモテプラーゼからなる群から選択される少なくとも１つの血栓溶解剤をさらに含んでなる、請求項１〜７のいずれか１項に記載の医薬品。
【請求項９】
前記医薬品は、アセチルサリチル酸、チクロピジン、クロピドグレル、ジピリダモール、アブシキシマブおよびフルルビプロフェンからなる群から選択される少なくとも１つの血小板凝集阻害剤をさらに含んでなる、請求項１〜８のいずれか１項に記載の医薬品。
【請求項１０】
前記医薬品は、経口投与、直腸投与、経皮投与、経肺投与、経鼻投与、舌下投与および非経口投与、特に皮内投与、皮下投与、筋肉内投与、静脈内投与、動脈内投与、脊髄内投与、関節内投与、胸膜内投与および腹腔内投与によって投与することが可能である、請求項１〜９のいずれか１項に記載の医薬品。
【請求項１１】
前記医薬品は、錠剤、カプセル剤、ピル剤、シロップ剤、懸濁剤、溶液、散剤、顆粒剤、乳剤、ミクロスフェア、注射可能な溶液、舌下用スプレー剤および皮膚パッチ剤からなる群から選択された形態である、請求項１〜１０のいずれか１項に記載の医薬品。
【請求項１２】
前記６−（ベンジルアミノ）−２（Ｓ）−［［１−（ヒドロキシメチル）プロピル］アミノ］−９−イソプロピルプリン）または医薬として許容可能なその塩のうち１つは、前記医薬品中に単位用量あたり１００ｍｇ〜５ｇ、好ましくは１００ｍｇ〜２ｇの範囲の量で存在する、請求項１〜１１のいずれか１項に記載の医薬品。
【請求項１３】
前記医薬品は医薬として許容可能な担体をさらに含んでなる、請求項１〜１２のいずれか１項に記載の医薬品。
【手続補正２】
【補正対象書類名】明細書
【補正対象項目名】発明の名称
【補正方法】変更
【補正の内容】
【発明の名称】神経疾患の予防または治療のうち少なくともいずれかを行うための（Ｓ）−ロスコビチンを含む医薬品
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
以下の式、すなわち、
Ｘ1−Ｘ2−Ｘ3  Ｉ
または
Ｘ1−Ｘ2  ＩＩ
のペプチドであって、
式中、Ｘ1が芳香族アミノ酸残基であるか、または２−アミノ−ヘキサン酸、２−アミノ−ヘプタン酸；２−アミノ−オクタン酸；シクロヘキシル置換２−アミノ酢酸、シクロヘキシル置換２−アミノ−プロパン酸もしくは２−アミノ−ブタン酸、およびメチオニンからなる群から選択され；
Ｘ2が酸性アミノ酸であり；かつ式Ｉ中、Ｘ3が１から３個のアミノ酸残基であり、前記１から３個のアミノ酸残基が同一または別々であり、脂肪族アミノ酸残基であり、かつＣ末端アミノ酸が任意選択でアミド化されているペプチドの、神経障害性疼痛の発症を抑制するか、またはそれを治療する薬物を調製するための使用。
【請求項２】
以下の式、すなわち、
Ｘ1−Ｘ2−Ｘ3  Ｉ
または
Ｘ1−Ｘ2  ＩＩ
のペプチドであって、
式中、Ｘ1が芳香族アミノ酸残基であるか、または２−アミノ−ヘキサン酸、２−アミノ−ヘプタン酸；２−アミノ−オクタン酸；シクロヘキシル置換２−アミノ酢酸、シクロヘキシル置換２−アミノ−プロパン酸もしくは２−アミノ−ブタン酸、およびメチオニンからなる群から選択され；
Ｘ2が酸性アミノ酸であり；かつ式Ｉ中、Ｘ3が１から３個のアミノ酸残基であり、前記１から３個のアミノ酸残基が同一または別々であり、脂肪族アミノ酸残基であり、かつＣ末端アミノ酸が任意選択でアミド化されているペプチドの、神経損傷または脊髄損傷を治療する薬物を調製するための使用。
【請求項３】
以下の式、すなわち、
Ｘ1−Ｘ2−Ｘ3  Ｉ
または
Ｘ1−Ｘ2  ＩＩ
のペプチドであって、
式中、Ｘ1が芳香族アミノ酸残基であるか、または２−アミノ−ヘキサン酸、２−アミノ−ヘプタン酸；２−アミノ−オクタン酸；シクロヘキシル置換２−アミノ酢酸、シクロヘキシル置換２−アミノ−プロパン酸もしくは２−アミノ−ブタン酸、およびメチオニンからなる群から選択され；
Ｘ2が酸性アミノ酸であり；かつ式Ｉ中、Ｘ3が１から３個のアミノ酸残基であり、前記１から３個のアミノ酸残基が同一または別々であり、脂肪族アミノ酸残基であり、かつＣ末端アミノ酸が任意選択でアミド化されているペプチドの、神経障害性疼痛の発症に関連した状態を患っている対象を治療する薬物を調製するための使用。
【請求項４】
以下の式、すなわち、
Ｘ1−Ｘ2−Ｘ3  Ｉ
または
Ｘ1−Ｘ2  ＩＩ
のペプチドであって、
式中、Ｘ1が芳香族アミノ酸残基であるか、または２−アミノ−ヘキサン酸、２−アミノ−ヘプタン酸；２−アミノ−オクタン酸；シクロヘキシル置換２−アミノ酢酸、シクロヘキシル置換２−アミノ−プロパン酸もしくは２−アミノ−ブタン酸、およびメチオニンからなる群から選択され；
Ｘ2が酸性アミノ酸であり；かつ式Ｉ中、Ｘ3が１から３個のアミノ酸残基であり、前記１から３個のアミノ酸残基が同一または別々であり、脂肪族アミノ酸残基であり、かつＣ末端アミノ酸が任意選択でアミド化されているペプチドの、神経損傷後または脊髄損傷後の慢性の神経学的転帰を改善する薬物を調製するための使用。
【請求項５】
Ｘ1が、フェニルアラニン、チロシン、トリプトファン、フェニルグリシン、ノルメチルフェニルアラニン、シクロヘキシルアラニン、およびノルロイシンからなる群から選択される、請求項１から４のいずれか一項に記載の使用。
【請求項６】
Ｘ2がグルタミン酸である、請求項１から５のいずれか一項に記載の使用。
【請求項７】
Ｘ3が、ＤもしくはＬ−アラニン、β−アラニン、バリン、ロイシン、イソロイシン、サルコシン、メチオニン、およびγ−アミノ酪酸からなる群から選択されるアミノ酸残基であるか、または１から３個のグリシン残基である、請求項１から６のいずれか一項に記載の使用。
【請求項８】
前記ペプチドが、
Ｌ−フェニルアラニン−Ｌ−グルタミン酸−グリシン、
Ｄ−フェニルアラニン−Ｄ−グルタミン酸−グリシン、
Ｌ−フェニルアラニン−Ｌ−グルタミン酸−Ｌ−アラニン、
Ｄ−フェニルアラニン−Ｄ−グルタミン酸−Ｄ−アラニン、
Ｄ−チロシン−Ｄ−グルタミン酸−グリシン、
Ｌ−フェニルグリシン−Ｌ−グルタミン酸−グリシン、
Ｌ−ノルメチルフェニルアラニン−Ｌ−グルタミン酸−グリシン、
Ｌ−シクロヘキシルアラニン−Ｌ−グルタミン酸−グリシン、
Ｄ−シクロヘキシルアラニン−Ｄ−グルタミン酸−グリシン、
Ｌ−ノルロイシン−Ｌ−グルタミン酸−グリシン、
Ｌ−メチオニン−Ｌ−グルタミン酸−グリシン、
Ｌ−フェニルアラニン−Ｌ−グルタミン酸−Ｌ−メチオニン、
Ｌ−フェニルアラニン−Ｌ−グルタミン酸−Ｌ−イソロイシン、
Ｌ−フェニルアラニン−Ｌ−グルタミン酸−β−アラニン、
Ｌ−フェニルアラニン−Ｌ−グルタミン酸−Ｌ−サルコシン、
Ｌ−フェニルアラニン−Ｌ−グルタミン酸−γ−アミノ酪酸、
Ｌ−フェニルアラニン−Ｌ−グルタミン酸、
Ｄ−フェニルアラニン−Ｄ−グルタミン酸、
Ｄ−チロシン−Ｄ−グルタミン酸、
Ｌ−シクロヘキシルアラニン−Ｌ−グルタミン酸、および
Ｄ−シクロヘキシルアラニン−Ｄ−グルタミン酸
からなる群から選択される、請求項１から４のいずれか一項に記載の使用。
【請求項９】
前記ペプチドがＬ−フェニルアラニン−Ｌ−グルタミン酸−グリシンである、請求項１から４のいずれか一項に記載の使用。
【請求項１０】
前記ペプチドがＤ−フェニルアラニン−Ｄ−グルタミン酸−グリシンである、請求項１から４のいずれか一項に記載の使用。
【請求項１１】
前記ペプチドが、Ｌ−シクロヘキシルアラニン−Ｌ−グルタミン酸−グリシンである、請求項１から４のいずれか一項に記載の使用。
【請求項１２】
前記ペプチドが、Ｄ−シクロヘキシルアラニン−Ｄ−グルタミン酸−グリシンである、請求項１から４のいずれか一項に記載の使用。
【請求項１３】
以下の式、すなわち、
Ｘ1−Ｘ2−Ｘ3  Ｉ
または
Ｘ1−Ｘ2  ＩＩ
のペプチドであって、
式中、Ｘ1が芳香族アミノ酸残基であるか、または２−アミノ−ヘキサン酸、２−アミノ−ヘプタン酸；２−アミノ−オクタン酸；シクロヘキシル置換２−アミノ酢酸、シクロヘキシル置換２−アミノ−プロパン酸もしくは２−アミノ−ブタン酸、およびメチオニンからなる群から選択され；
Ｘ2が酸性アミノ酸であり；かつ式Ｉ中、Ｘ3が１から３個のアミノ酸残基であり、前記１から３個のアミノ酸残基が同一または別々であり、脂肪族アミノ酸残基であり、かつＣ末端アミノ酸が任意選択でアミド化されているペプチド。